(57)【要約】【課題】居住者が不在においても、高いセキュリティを維持しつつ、他者によるサービスを受けられる住宅を提供する。【解決手段】住宅１は、共用部２と専有部３との境界に設置される第一出入り口７であって、第一出入り口を施錠可能な第一ロック装置１０を有する第一出入り口と、第一出入り口よりも内側に設置される第二出入り口であって、第二出入り口を施錠可能な第二ロック装置１１を有する第二出入り口と、第一出入り口と第二出入り口との間に設けられるセミプライベートスペース４と、を備える。第一ロック装置は、居住者の携帯端末を利用して施錠及び解錠が可能なスマートロックである。そのため、居住者は遠方からでも携帯端末を用いて第一出入り口を施錠及び解錠することができ、セミプライベートスペースにおいて他者によるサービスを受けることができる。【選択図】図１
2020153204.tif 000002
【特許請求の範囲】
【請求項１】
共用部と専有部との境界に設置される第一出入り口であって、該第一出入り口を施錠可能な第一ロック装置を有する第一出入り口と、
前記第一出入り口よりも内側に設置される第二出入り口であって、該第二出入り口を施錠可能な第二ロック装置を有する第二出入り口と、
前記第一出入り口と前記第二出入り口との間に設けられるセミプライベートスペースと、を備え、
前記第一ロック装置は、居住者の携帯端末を利用して施錠及び解錠が可能なスマートロックであることを特徴とする住宅。
【請求項２】
前記セミプライベートスペースは、土間であることを特徴とする請求項１に記載の住宅。
【請求項３】
前記セミプライベートスペースを撮影し、前記居住者の携帯端末に撮影した画像を送信するカメラを備えることを特徴とする請求項１又は２に記載の住宅。
【請求項４】
前記セミプライベートスペースは、前記専有部の居室に隣接していて、前記セミプライベートスペースと、隣接する前記居室との境界に、前記居室からのみ解錠可能な開口部を有することを特徴とする請求項１から３のいずれか一項に記載の住宅。
【請求項５】
前記共用部に入るための共用エントランスを備え、該共用エントランスは該共用エントランスを施錠可能な第三ロック装置を有し、該第三ロック装置は、前記居住者の携帯端末を利用して解錠することが可能なスマートロックであること特徴とする請求項１から４のいずれか一項に記載の住宅。
【発明の詳細な説明】
【技術分野】
【０００１】
本発明は住宅に関し、特に、サービスを受けるためのセミプライベート空間を備えた住宅に関するものである。
【背景技術】
【０００２】
従来の集合住宅では、ペットの飼育が許可されている場合であっても、ペットの飼育に対応した空間又は設備を設けることはあまり考慮されてこなかった。また、ペットの飼育に対応している場合でも、一部のドアにペット用の小さな扉を設置するなどのオプションが設定されているだけであった。そのため、入居者は、旅行や入院で不在になる場合であっても、ペットを住宅内に複数日放置することはできず、ペットを知り合いや専用の施設等に預けていた。
【０００３】
また、飼い主である居住者に代わってペットに給餌又は散歩を依頼することが可能なサービス、所謂ペットシッターのサービスがあるものの、住宅の鍵をペットシッターに預け住宅内に第三者が立ち入ることを許可する必要があった。そのため、飼い主である居住者のプライバシーやセキュリティ上の問題があった。
【０００４】
また、日中仕事で不在にしている場合、配達業者を住宅内に入れることができないため、通販等で購入した商品等を受け取ることができない場合があった。
【０００５】
特許文献１には、玄関と居室空間との間にペット用空間を備える住宅であって、屋外から玄関に通じ、人とペットが出入り可能な第１の出入り口と、玄関から居室空間に通じ、ペット用空間を通らずに、人が出入り可能な第２の出入り口と、玄関からペット用空間に通じ、人とペットが出入り可能な第３の出入り口と、ペット用空間から居室空間に通じ、ペットが出入り可能な第４の出入り口とを含む住宅が開示されている。
【先行技術文献】
【特許文献】
【０００６】
【特許文献１】特開２０１７−８９３４７号公報
【発明の概要】
【発明が解決しようとする課題】
【０００７】
しかしながら、特許文献１に記載のペット用空間を備えた住宅では、居住者がいない場合でも、ペットを飼育可能な空間を提供することが可能であるものの、人とペットが出入り可能な出入り口と、ペットのみが出入り可能な出入り口を別途設ける必要があった。
本発明は、上記の課題を鑑みてなされたものであり、その目的は、居住者が不在である場合でも、高いセキュリティを維持しつつ、他者によるサービスを受けられる住宅を提供することにある。
【課題を解決するための手段】
【０００８】
上記課題は、本発明の住宅によれば、共用部と専有部との境界に設置される第一出入り口であって、該第一出入り口を施錠可能な第一ロック装置を有する第一出入り口と、前記第一出入り口よりも内側に設置される第二出入り口であって、該第二出入り口を施錠可能な第二ロック装置を有する第二出入り口と、前記第一出入り口と前記第二出入り口との間に設けられるセミプライベートスペースと、を備え、前記第一ロック装置は、居住者の携帯端末を利用して施錠及び解錠が可能なスマートロックであることにより解決される。
【０００９】
上記構成により、居住者は携帯端末を利用して遠隔地から第一ロック装置を解錠し、セミプライベートスペースに他者を入れることができる。そのため、例えばセミプライベートスペースをペットの飼育空間としている場合、他者であるペットシッターをセミプライベートスペースに入れることができ、ペットに給餌や散歩をさせることが可能になる。第二ロック装置を施錠した状態では第二出入り口から住宅内にペットシッターが入ることはなく、高いセキュリティを維持するとともにプライバシーを確保することができる。
【００１０】
また、上記の住宅において、セミプライベートスペースが土間空間であると好適である。セミプライベートスペースを土間とすることにより、居住者は他者の出入りを許容しやすい。また、セミプライベートスペースに入る他者は靴を履いたままでサービスを提供することができる。例えばペットシッターは、靴を脱ぐことなくペットに給餌をすることができる。
【００１１】
また、上記の住宅において、前記セミプライベートスペースを撮影し、前記居住者の携帯端末に撮影した画像を送信するカメラを備えると好適である。
【００１２】
セミプライベートスペースを撮影し、撮影した画像を居住者の携帯端末に送信するカメラを備えることで、居住者は他者によるサービスを確認することができる。具体的には、セミプライベートスペースでペットを飼っている場合、居住者は画像により、ペットシッターの顔やペットの健康状態等を確認することができる。
【００１３】
また、上記の住宅において、前記セミプライベートスペースは、専有部の居室に隣接していて、前記セミプライベートスペースと、隣接する前記居室との境界に、前記居室からのみ解錠可能な開口部を有すると好適である。
居室が隣接していることにより、例えば、居住者がセミプライベートスペースで飼っているペットに居室から給餌等を行うことができる。
また、開口部を居室からのみ解錠可能にすることで、ペットシッターがセミプライベートスペースに入室した場合でも、施錠された開口部から居室に入ることはできないため、居住者のプライバシーやセキュリティを確保することができる。
【００１４】
また、上記の住宅において、前記共用部に入るための共用エントランスを備え、該共用エントランスは該共用エントランスを施錠可能な第三ロック装置を有し、該三ロック装置は、前記居住者の携帯端末を利用して解錠することが可能なスマートロックであると好適である。
【００１５】
共用部に入るための共用エントランスにスマートロックを取り付けることで、住宅に不在の場合でも居住者自らが住宅の共用部に入る他者を確認して、スマートロックを解錠することができる。
【発明の効果】
【００１６】
本発明によれば、居住者が不在である場合でも、高いセキュリティを維持しつつ、他者によるサービスを受けられる住宅を提供することができる。また、セミプライベートスペースにカメラを備えることで、居住者は他者によるサービスを確認することができる。また、セミプライベートスペースを土間空間とすることにより、他者は靴を脱ぐことなくサービスを提供することができる。セミプライベートスペースと隣接する居室を設け、セミプライベートスペースと居室との間に、居室からのみ解錠可能な開口部を設けることで、高いセキュリティを維持しつつ、居住者はセミプライベートスペースを利用することができる。また、共用エントランスにスマートロックを取り付けることで、住宅に不在の場合でも居住者自らが住宅の共用部に入る他者を確認して、スマートロックを解錠することができる。
【図面の簡単な説明】
【００１７】
【図１】本実施形態に係る住宅の平面図である。
【図２】セミプライベート空間を利用する際のフロー図である。
【図３】携帯端末により共用エントランスのスマートロックを解除するスマートロックシステムの構成図である。
【発明を実施するための形態】
【００１８】
以下、図１〜図３に基づき、本発明の一実施形態（以下、本実施形態）について説明する。
なお、以下に説明する実施形態は、本発明の理解を容易にするための一例に過ぎず、本発明を限定するものではない。すなわち、以下に説明する部材の形状、寸法、配置等については、本発明の趣旨を逸脱することなく、変更、改良され得るとともに、本発明にはその等価物が含まれることは勿論である。また、以下の実施形態において同一又は類似の構成要素には共通の参照符号を付して示し、理解を容易にするために、これら図面は縮尺を適宜変更している。
【００１９】
図１に示すように、本実施形態に係る住宅１は、集合住宅の一室であり、集合住宅の廊下（共用部２）と居住者が住む住宅部分（専有部３）との間に設置される第一出入り口７を備える。また、住宅１は、第一出入り口７よりも住宅の内側に設置される第二出入り口８を備え、第一出入り口７と第二出入り口８との間に、セミプライベートスペースとしての土間４が設けられている。
【００２０】
第一出入り口７は、第一出入り口７を施錠可能な第一ロック装置であるスマートロック１０を有する。スマートロック１０は、例えば居住者がスマートフォン等の携帯端末を用いて遠隔地から施錠及び解錠を行うことが可能な錠（ロック装置）である。スマートロック１０の設置方式としては、既存の錠を取り換えて工事により設置する交換型と、室内のサムターン部分に被せる設置する後付型がある。後付け型は工事が不要で粘着テープ等で貼り付けるだけで設置可能である。第一出入り口７で用いられるスマートロック１０はいずれの方式で設置されてよい。
【００２１】
第二出入り口８は、第二出入り口８を施錠可能な第二ロック装置である機械式錠１１が設けられている。第二出入り口８は、玄関５に入るためのドアである。機械式錠１１が施錠されている場合、スマートロック１０が解錠され土間４に他者が入室した場合でも、他者は土間４から玄関５に入室することができない。そのため、居住者はプライバシーを保ちつつサービス員を土間４に入れることができる。
【００２２】
土間４には、土間４の内部状況を撮影して、居住者の指示に応じて携帯端末１３に撮影した画像を送信するカメラ１４が設けられている。そのため、居住者は土間４の状態を送信された画像から確認することができる。例えば土間４でペットを飼育している場合、居住者は、カメラ１４から送信された画像を携帯端末１３の画面１３ａで見ることによりペットの状態を確認することができる。また、例えば土間４に、配達業者により配達された荷物がある場合、荷物の有無を確認することができる。
【００２３】
本実施形態のセミプライベートスペースは土間４であるが、セミプライベートスペースは土間に限らず、床面を有する居室であってもよい。また、土間４をペットの飼育空間として利用しているが、土間４を駐輪場として利用してもよい。配達された荷物を一時的に保管する保管場所であってもよい。
【００２４】
図１に示すように、本実施形態の住宅１の土間４は居室６に隣接している。土間４と居室６との境界には壁があり、その壁にはドア又は窓である開口部９が設けられている。開口部９には、例えばクレセント錠１２が設けられており、居室６からのみ解錠することができる。
【００２５】
このように、土間４に隣接するよう居室６を設けることで、例えば居住者は居室６から開口部９を通じて出入りすることができる。例えば開口部９を通じて土間４にいるペットに給餌したり、土間４に届けられた荷物を居室６に持ち運んだりすることができる。開口部９は、居室６からのみ解錠可能になっていることから、土間４に他者を入室させた場合であっても他者は開口部９を通じて隣接する居室６に入ることはできず、高いセキュリティを維持するとともにプライバシーを保つことができる。
【００２６】
図１に示す住宅１は、集合住宅の一部であり、共用部２である廊下に居住者以外の人が入るためには、共用玄関１９の共用エントランス２０を通過する必要がある。住宅１に居住者が居る場合は、共用玄関１９に設けられた共用玄関インターホン２２を通じて、居住者と連絡を取り、居住者が共用エントランス２０を解錠することにより、他者は共用部に入ることができる。しかしながら、居住者が住宅に不在である場合は、共用玄関のインターホンを通じて連絡を取ることができず、共用エントランス２０を解錠できないため共用部２に入ることができない。
【００２７】
そこで、住宅１を含む集合住宅では、共用エントランス２０に、共用エントランス２０を施錠可能なスマートロック（第三ロック装置、以下共用スマートロック２１）を設け、遠隔地からでも、居住者の携帯端末１３から、共用スマートロック２１を解錠可能にしている。共用玄関１９に来た他者、例えばペットシッターは、共用玄関１９の共用玄関インターホン２２を通じて、居住者の携帯端末１３と繋がり、居住者は携帯端末１３により他者を確認した後に共用スマートロック２１を解錠して、他者を共用部２に入れることができる。
【００２８】
そのため、例えば居住者は、外出中であっても携帯端末１３により、共用玄関１９まで来たペットシッターを共用玄関インターホン２２により確認して集合住宅内に入れることができ、上記のように第一出入り口７のスマートロック１０を解錠することにより、自宅の土間４においてペットサービス等を受けることができる。
【００２９】
図２を用いて、本実施形態の住宅１に住む居住者が他者によるサービスを受ける際のフローの一例について説明する。なお、以下では、居住者が土間４においてペットを飼育しており、居住者が不在の間、依頼したペットシッターが給餌をするというサービスを受ける場合について説明する。
【００３０】
ペットシッターが、共用玄関から共用玄関インターホン２２を用いて外部にいる居住者を呼び出す（ステップ１０１）。この際、ペットシッターは共用玄関インターホン２２ではなく自分が所有する携帯端末を利用して居住者を呼び出してもよい。
ペットシッターを確認した居住者は、共用エントランス２０の共用スマートロック２１を解錠する（ステップ１０２）。
ペットシッターは、依頼者である居住者の住宅１まで来た後、住宅１の第一出入り口７の前で、再度、居住者を呼び出す（ステップ１０３）。この際、第一出入り口７の近傍に設けられた専有部外インターホン２４を用いて呼び出してもよく、また、ペットシッターの携帯端末を用いて居住者を呼び出してもよい。
再度、呼び出された居住者は、携帯端末１３の画面１３ａによりペットシッターを確認した後、携帯端末１３に表示された解錠ボタン１３ｂを押すことで第一出入り口７のスマートロック１０を解錠する（ステップ１０４）。
【００３１】
ペットシッターは第一出入り口７から土間４に入室し、ペットに給餌等のサービスを行う（ステップ１０５）。この際、第二出入り口８及び開口部９は施錠されているため、ペットシッターは居室６等には入ることはできない。
居住者は、土間４に設けられたカメラ１４から送信され、携帯端末１３に表示された画像により、ペットの状態やサービス（給餌状況）の確認を行う（ステップ１０６）。
給餌後、ペットシッターは第一出入り口７から退出する（ステップ１０７）。居住者は、ペットシッターが退出したことを確認した後、携帯端末１３に表示された施錠ボタンを押し、第一出入り口７のスマートロック１０を施錠する（ステップ１０８）。スマートロック１０は、ペットシッターが退出した後、自動で施錠されてもよい。
【００３２】
なお、図２に示すフローではペットシッターが土間４に入出する際について説明しているが、これは一例であり、ペットシッターの代わりに宅配業者であってもよい。宅配業者の場合、送られた荷物を土間４にまで届けるか、又は、土間４に予め置かれた荷物を引きとってもよい。このように、居住者が不在であっても、高いセキュリティを維持した状態で、様々なサービスを受けることが可能である。
【００３３】
図３に、本実施形態の住宅１に用いられるスマートロック１０と、共用スマートロック２１のシステムの構成図を示す。ペットサービスを利用する場合、自分の携帯端末の電話番号を業者に教えることで連絡を取り合ってもよいが、電話番号を他人に教えることを希望しない場合もある。そこで、集合住宅に設けられた既存のインターホンにより、連絡をとれるようにしてもよい。
【００３４】
図３に示すスマートロックシステムは、共用玄関インターホン２２と、第一出入り口７の付近に設けられた専有部外インターホン２４と、それらと通信可能な居住者の専有部内インターホン２３と、専有部内インターホン２３に接続された携帯電話アダプター２５と、を備える。携帯電話アダプター２５は、スマートロックのサービス提供者のＳＩＰ（Session Initiation Protocol）サーバ３１及び管理サーバ３２（スマートロックサービス３０）に接続される。ペットシッターや宅配業者は、共用玄関インターホン２２又は専有部外インターホン２４から、携帯電話アダプター２５を介して、登録された電話番号の携帯端末１３に接続されるよう構成されている。
【００３５】
このような、スマートロックシステムを利用することで、住宅１の居住者は、ペットシッターや宅配業者に電話番号を教えることなく、共用エントランス２０の共用スマートロック２１及び第一出入り口７のスマートロック１０を解錠することができる。
【００３６】
以上、図を用いて本発明に係る住宅について説明した。図１に記載の住宅１は集合住宅の一部であるが、スマートロックにより施錠可能な第一出入り口と、第一出入り口より内側に設けられる施錠可能な第二出入り口を有する平面プランは一戸建ての住宅に適用されてもよい。その際、専有部は一戸建て住宅であり、共用部は住宅に隣接する道路や庭等である。また、実施形態の第二ロック装置は機械式錠１１であったが、スマートロックであってもかまわない。
【符号の説明】
【００３７】
１    住宅
２    共用部
３    専有部
４    土間（セミプライベートスペース）
５    玄関
６    居室
７    第一出入り口
８    第二出入り口
９    開口部
１０    スマートロック（第一ロック装置）
１１    機械式錠（第二ロック装置）
１２    クレセント錠
１３    携帯端末
１４    カメラ
１９    共用玄関
２０    共用エントランス
２１    共用スマートロック（第三ロック装置）
２２    共用玄関インターホン
２３    専有部内インターホン
２４    専有部外インターホン
２５    携帯電話アダプター
３０    スマートロックサービス
３１    ＳＩＰサーバ
３２    管理サーバ
【図１】
2020153204.tif 000003
【図２】
2020153204.tif 000004
【図３】
2020153204.tif 000005